(57)【要約】【課題】オーブン、特にドアの冷却性能が改善されたドアフレームを有するオーブンのドア構造を提供する。【解決手段】オーブンには、キャビティと、前記キャビティを遮蔽するドアパネルと、前記ドアパネルの側面を支持する側面フレームとが備えられ、前記側面フレームと前記ドアフレームとの間には外気吸入ホールが形成されることを特徴とする。【選択図】図１
2007163127.tif 000002
【特許請求の範囲】
【請求項１】
キャビティと、前記キャビティを開閉するドアと、前記キャビティの内部に提供されるヒーターとが備えられるオーブンにおいて、
前記ドアには複数のドアパネルと、
前記ドアパネルの側面を支持する側面フレームとが備えられ、
前記側面フレームと前記ドアフレームとの間には、外気吸入ホールが形成されていることを特徴とするオーブン。
【請求項２】
前記ドアパネルは、複数個が所定間隔で積層されていることを特徴とする請求項１に記載のオーブン。
【請求項３】
前記側面フレームの内部には、外気が流動する中空部が形成されていることを特徴とする請求項１に記載のオーブン。
【請求項４】
前記側面フレームの内部が複数回折り曲げられているか、または湾曲したフィン形状からなることを特徴とする請求項１に記載のオーブン。
【請求項５】
前記側面フレームの一側面には、前記ドアパネルにより遮蔽される空気収容ホールが形成されていることを特徴とする請求項１に記載のオーブン。
【請求項６】
前記ドアパネルの下端部及び前記外気吸入ホールを介して、外気が前記ドアパネルの下端及び側面に流入することを特徴とする請求項１に記載のオーブン。
【請求項７】
調理空間を提供するキャビティと、前記キャビティを遮蔽するドアとを備えたオーブンにおいて、
前記キャビティを開閉し、前記キャビティの内部空間に露出する内側パネルと、外部空間に露出する外側パネル、及び前記内側パネルと外側パネルとの間に提供される少なくとも１つ以上の中間パネルが備えられるドアパネルと、
前記外側パネルに所定間隔離隔して固定され、前記内側パネル及び中間パネルを支持するドアフレームと
が備えられたことを特徴とするオーブン。
【請求項８】
前記ドアフレームと前記外側パネルとの間の離隔空間を介して流入する外気は、前記複数のドアパネルを冷却した後、ドアパネルの外部に排出されることを特徴とする請求項７に記載のオーブン。
【請求項９】
前記ドアフレームには、
前記内側パネルを支持する支持部と、
前記中間パネルを支持する固定部と、
前記ドアフレームに伝達される熱を放出する放熱部と、
前記外側パネルに固定されるフレーム固定部と
が備えられたことを特徴とする請求項７に記載のオーブン。
【請求項１０】
前記放熱部には、複数回折り曲げられる折り曲げ部と、所定曲率で湾曲される湾曲リブとが備えられ、
前記ドアフレームと外側パネルとの間の離隔空間を介して吸入される空気の少なくとも一部は、前記折り曲げ部及び湾曲リブと接触することをことを特徴とする請求項９に記載のオーブン。
【請求項１１】
前記ドアフレームの内部には、所定の中空部が形成され、前記折り曲げ部及び湾曲部は、前記中空部内に突出していることを特徴とする請求項１０に記載のオーブン。
【請求項１２】
前記ドアフレームは、前記ドアパネルの側面を支持する側面フレームであることを特徴とする請求項７に記載のオーブン。
【請求項１３】
前記側面フレームの一面には、所定深さに陥没され、前記内側パネルにより密閉される空気収容ホールが形成されていることを特徴とする請求項７に記載のオーブン。
【請求項１４】
前記空気収容ホールに受容される空気により、前記キャビティから前記ドアフレームへの熱伝逹が遮断されることを特徴とする請求項１３に記載のオーブン。
【発明の詳細な説明】
【技術分野】
【０００１】
本発明は、オーブンに関し、さらに詳細には、ドアの冷却性能が改善されたドアフレームを有するオーブンのドア構造に関する。
【背景技術】
【０００２】
一般に、オーブンは、内部に形成されたキャビティに収納された食物に対して、ヒーターから発生した熱を加えることによって、調理を行うことができる調理装置である。
【０００３】
詳細に、前記キャビティは、オーブンの前面に回転可能に設置されるドアにより選択的に開閉される。そして、前記ドアには、骨組みをなすドアフレームが設置され、前記ドアフレームにドアパネルなどが付着される。
【０００４】
一方、従来のオーブンの場合、前記ドアを冷却させるための別途の冷却流路がドアの内部に形成される。上記のような冷却流路には、オーブンの外部から流入した空気が流動しながらドアを冷却させる。そういうオーブンの冷却流路の一実施形態として、前記ドアの下端部から外気が吸入されて、前記ドアパネルに沿って流動して前記キャビティの後方へ移動する。そして、前記キャビティの上部を経てドアの上部に形成された排出口を介してオーブンの外部に排出される。
【０００５】
しかしながら、従来のオーブンのように、単純にドアの内部に空気流路を形成する方式によっては、ドアの冷却が効果的に行われることができない。
【０００６】
特に、金属材質からなるドアフレームにキャビティの内部から発生する多量の熱が吸収されることに対し、前記ドアフレームに吸収された熱が放出できる放熱構造が適切に提供されていない。したがって、ドアフレームの熱が十分に外部に放出されず、ドアの冷却効率を低下させる原因となる。
【発明の開示】
【発明が解決しようとする課題】
【０００７】
本発明は、上述の問題点に鑑みてなされたもので、その目的は、キャビティからドアフレームに伝達される熱を円滑に排出させることができる構造を有するオーブンのドアを提供することにある。
【０００８】
また、本発明の他の目的は、キャビティ内からドアフレームに伝達される熱量を減少させることができる構造を有するオーブンのドアを提供することにある。
【課題を解決するための手段】
【０００９】
上記の目的を達成すべく、本発明に係るオーブンには、キャビティと、前記キャビティを遮蔽するドアパネルと、前記ドアパネルの側面を支持する側面フレームとが備えられ、前記側面フレームと前記ドアフレームとの間には、外気吸入ホールが形成されることを特徴とする。
【００１０】
また、本発明の他の側面に係るオーブンには、キャビティと、前記キャビティを開閉し、前記キャビティの内部空間に露出する内側パネル、外部空間に露出する外側パネル、及び前記内側パネルと外側パネルの間に提供される少なくとも１つ以上の中間パネルが備えられるドアパネルと、前記外側パネルに所定間隔離隔するように固定され、前記内側パネル及び中間パネルを支持するドアフレームとが備えられる。
【００１１】
また、本発明のさらに他の側面に係るオーブンには、内部に調理空間に形成されるキャビティと、前記キャビティの前面開口部を選択的に遮蔽し、前後方向に所定間隔が離隔するように配置される複数のドアパネルと、前記ドアパネルの側面を支持する側面フレームと、前記側面フレームの両端部に結合されるモールド部と、前記ドアパネルの上端に結合される上側フレームが含まれるドアとが備えられ、前記側面フレームの一面には、所定深さに陥没され、前記複数のドアパネルのうち、前記キャビティの内部空間に露出するドアパネルによって密閉される空気収容ホールが形成されることを特徴とする。
【発明の効果】
【００１２】
本発明に係るオーブンのドアによれば、ドアフレームの内部に密閉された空間からなる空気収容ホールが形成される。その結果、キャビティと直接接触されて熱が伝達される第１ドアパネルが側面フレームに接触される面積が減少して、キャビティからの熱伝逹量が減少するという効果がある。
【００１３】
また、内部に空気が充填された前記収容ホールは、キャビティから放出される熱の伝達を遮断する断熱層の機能を行うようになる。したがって、キャビティから側面フレームに伝達される熱量が減少するという効果がある。
【００１４】
また、本発明に係るオーブンのドア構造によれば、第２ドアパネル、第３ドアパネル及び第４ドアパネルそれぞれの離隔空間に外気が直接流入するため、キャビティからドアフレームに伝達される熱が円滑に排出することができる。したがって、ドアフレーム及びドアパネルに対する冷却性能が改善されるという効果がある。
【００１５】
また、本発明に係るオーブンのドア構造によれば、外気が流入して、外側バレー突起、内側バレー突起、湾曲突起及び第２外側突起などのピン部と接触される。ピン部は、側面フレームから突出した部分であって、流動する空気との接触面積を増大させる。したがって、側面フレームの内部を流動する空気とピン部との熱交換量が増加する。すなわち、側面フレームの熱放出量が増大して、ドアフレームの冷却効率が増加するという効果がある。
【発明を実施するための最良の形態】
【００１６】
以下、本発明の好ましい実施形態を、添付図面に基づき詳細に説明する。
【００１７】
図１は、本発明に係るオーブンを示す斜視図である。
【００１８】
図１に示すように、本発明に係るオーブン１には、内部に調理空間が形成されるキャビティ３と、前記キャビティの前面開口部側に回転可能に装着されるドア１００と、前記キャビティ３の内部後面に提供されて熱を発生する対流ヒーター（ｃｏｎｖｅｃｔｉｏｎ  ｈｅａｔｅｒ）（図示せず）と、前記対流ヒーターから発生する熱をキャビティ３の内部空間に拡散させる対流ファン４が備えられる。
【００１９】
詳細に説明すれば、前記キャビティ３の前面開口部のエッジには、シーリング部材１１が取り囲まれる。そして、前記シーリング部材１１は、前記ドア１００と前記キャビティ３との間を密閉させる。そして、前記シーリング部材１１が設置される部分は、オーブン１の前面ケース１２であり、前記前面ケース１２は、側面ケース１３に固定される。
【００２０】
また、前記キャビティ３の両側面には、少なくとも１つ以上のラックガイド６が形成され、前記ラックガイド６には、ラック７が少なくとも１つ以上挟められることができる。詳細に説明すれば、前記ラック７は、食物が含まれた容器がのせられる部分であって、前記ラックガイド６によりガイドされながら前記キャビティ３の内部から前後方向へ移送されることができる。
【００２１】
また、前記キャビティ３の下部には、調理時に熱源となるベーキングヒーター（図示せず）と、前記ベーキングヒーターの上部に結合される二重底部５が備えられる。詳細に、前記二重底部５は、調理時に前記ベーキングヒーターが外部に露出しないようにする。したがって、前記ベーキングヒーターが露出して、ユーザが火傷を負うなどの危険を防止することができる。
【００２２】
一方、前記オーブン１には、上部に形成されるクックトップ（ｃｏｏｋ  ｔｏｐ）８と、前記クックトップ８に形成される少なくとも１つ以上のクックトップヒーター９と、前記クックトップ８の背面部に形成される操作パネル１０とが備えられる。詳細に、前記クックトップヒーター９は、作動時に電気エネルギーが熱エネルギーに転換されて、上部にのせられる食物が含まれた容器に熱を供給する。そして、前記操作パネル１０には、各種の操作ボタンなどが提供されて、前記オーブン１の各駆動部の作動が外部で操作され得るようにする。
【００２３】
図２は、本発明に係るオーブンのドアの背面斜視図である。
【００２４】
図２に示すように、本発明に係るオーブン１のドア１００には、側面部の骨組みをなす側面フレーム２００と、前記側面フレーム２００と連結する上側フレーム１７０と、前記側面フレーム２００の上側端部を支持する左上モールドフレーム１２０及び右上モールドフレーム１５０と、前記側面フレーム２００の下側端部を支持する右上モールドフレーム１５０及び左下モールドフレーム１３０と、前記キャビティ３とオーブン１の外部を空間的に分離するドアパネル１８０とが備えられる。
【００２５】
詳細に、前記側面フレーム２００は、前記ドア１００の側面部の骨組みをなし、前記ドアパネル１８０を支持する。そして、前記側面フレーム２００は、所定の剛性を有する金属性物質からなることができる。このような側面フレーム２００には、前記ドアパネル１８０のうち、一部が結合されることができる。
【００２６】
前記ドアパネル１８０は、側面フレーム２００から離隔して結合され、ドア１００の冷却流路の一部である側面流入口１９０を形成する。そして、前記上側フレーム１７０は、前記ドアパネル１８０の上部に配置されて、前記ドアパネル１８０を支持する。そして、前記上側フレーム１７０には、ドア１００の冷却流路の一部である上側排出口が形成されて、前記ドアパネル１８０の内部に沿って流れながら、前記キャビティ３から伝達される熱を吸収して、加熱した空気を外部に排出させる。
【００２７】
前記モールドフレーム１２０、１３０、１５０、１６０は、前記ドアパネル１８０の各隅部に配置され、前記側面フレーム２００と結合される。詳細に、前記モールドフレーム１２０、１３０、１５０、１６０は、金属性の材質より熱伝導度の低いプラスチックからなることができる。すると、前記キャビティ３から前記側面フレーム２００に伝達される熱が前記モールドフレーム１２０、１３０、１５０、１６０で遮断されて、前記ドア１００全体が加熱される現象を防止することができる。
【００２８】
ここで、前記モールドフレーム１２０、１３０、１５０、１６０は、プラスチックからなり、前記側面フレーム２００は、金属性材質からなるものと提示しているが、これは例示に過ぎない。すなわち、前記モールドフレーム１２０、１３０、１５０、１６０と前記側面フレーム２００は、熱伝導度の異なる物質からなり、これらを通じた熱伝導が遮断されることによって、ドア１００全体が加熱される現象を防止することができる多様な実施形態を提案することができる。
【００２９】
また、前記モールドフレーム１２０、１３０、１５０、１６０は、前記ドア１００の隅部、詳細には、前記ドアパネル１８０の隅部に配置される。上記の通りに配置されると、前記側面フレーム２００の熱が前記ドア１００全体に伝達される現象を効果的に遮断することができる。
【００３０】
一方、前記ドアパネル１８０は、複数のパネルで構成される。詳細に、前記キャビティ３側に第１ドアパネル１８１が配置され、それから所定間隔離隔して、順次に第２ドアパネル１８２、第３ドアパネル１８３及び第４ドアパネル１８４がそれぞれ配置される。そして、最外部に配置される前記第４ドアパネル１８４は、オーブン１の外部の空気、すなわち室内空気と直接接触され、最内部に配置される第１ドアパネル１８１は、前記キャビティ３の内部空気と直接接触される。
【００３１】
前記それぞれのドアパネル１８０の間は、所定間隔離隔して、空気流路が形成される。そのうち、前記第２ドアパネル１８２と前記第３ドアパネル１８３との間と、前記第３ドアパネル１８３と前記第４ドアパネル１８４との間に形成される空気流路は、ドア冷却流路１９１となる。すなわち、外部から前記ドア１００の下側部に外気が流入すると、前記ドア冷却流路１９１に沿って上昇するようになる。すると、前記流入する外気により、前記ドア１００が冷却される。
【００３２】
このとき、本実施形態によれば、前記ドア１００の側面部にも外気が流入して、前記ドア１００を冷却させる。詳細に、前記側面フレーム２００が前記第４ドアパネル１８４の背面から所定間隔離隔するように配置され、その間の空間に前記側面流入口１９０が形成される。そして、前記ドア冷却流路１９１に沿って空気の流動が形成されるとき、前記側面流入口１９０にも外気が流入して、前記ドア１００を冷却させる。したがって、本実施形態によれば、前記ドア１００が迅速に冷却されるという長所がある。
【００３３】
図３は、本発明に係るドアの側面図である。
【００３４】
図３に示すように、本発明に係るドア１００の側面には、側面流入口１９０が形成される。前記側面流入口１９０は、前記側面フレーム２００が前記モールドフレーム１２０、１３０と結合されることによって、第４ドアパネル１８４と所定間隔に離隔するように結合されて形成される空間である。そして、前記側面流入口１９０は、前記ドア１００を冷却させるための外気の流入口となる。上記のように側面流入口１９０が形成されることによって、前記ドア１００に対した側面からの冷却が可能になる。したがって、前記側面流入口１９０が形成されることによって、ドア１００の側面と下面を通じた二重冷却が可能になって、ドア１００の冷却効率が増加するという効果がある。
【００３５】
図４は、本発明に係るドアフレームの分解斜視図である。
【００３６】
図４に示すように、本発明に係るドアフレームには、ドアパネル１８０の側面を支持する側面フレーム２００と、前記側面フレームの上側に結合される上側フレーム１７０と、前記側面フレーム２００と上側フレーム１７０とを連結するモールドフレーム１２０、１３０、１５０、１６０が備えられる。そして、前記モールドフレーム１２０、１３０、１５０、１６０は、前記側面フレーム２００の各末端部に結合されて、前記ドアパネル１８０の各隅部を支持する。
【００３７】
詳細に、前記側面フレーム２００と、前記上側フレーム１７０及び前記モールドフレーム１２０、１３０、１５０、１６０には、それぞれ対応する結合部が形成される。
【００３８】
さらに詳細に説明すると、前記側面フレーム２００の両端部には、所定長さで突出する結合突起２０１、２０２がそれぞれ形成される。そして、前記上側フレーム１７０の下端部には、所定長さで突出する結合突起１７１が形成される。
【００３９】
また、前記モールドフレーム１２０、１３０には、前記結合突起２０１、２０２、１７１が結合される結合溝１２１、１３１が形成される。したがって、前記結合溝１２１、１３１に前記結合突起２０１、２０２、１７１が挿入されることによって、前記モールドフレーム１２０、１３０を中心に前記側面フレーム２００と前記上側フレーム１７０とが有機的に結合される。
【００４０】
また、上記のような結合構造によると、前記モールドフレーム１２０、１３０から前記側面フレーム２００が容易に着脱できる。すなわち、前記側面フレーム２００は、ドアパネル１８０のうちの一部パネルが結合された状態で、前記ドア１００に装着されるか、又は前記ドア１００から分離可能になる。したがって、前記側面フレーム２００の分離により、ドアパネル１８０のうちの一部パネルが共に着脱することができる。このような結合構造により、前記ドア１００の内部に対する接近性が向上するため、前記ドア１００の掃除を手軽に行うことができる。
【００４１】
図５は、本発明に係るドアフレームを構成する側面フレームの斜視図であり、図６は、図５に示すＩ−Ｉ´線の断面図である。
【００４２】
図５及び図６に示すように、前記側面フレーム２００には、第１ドアパネル１８１〜第４ドアパネル１８４の設置のための支持部２１０と、末端固定部２２０、中間固定部２３０及び熱伝逹のための放熱部２５０が形成される。
【００４３】
詳細に、前記側面フレーム２００の一方には、支持部２１０が形成される。前記支持部２１０は、所定間隔離隔する外側支持部２１１及び内側支持部２１２からなる。そして、前記外側支持部２１１及び前記内側支持部２１２には、第１ドアパネル１８１が固着される。
【００４４】
前記内側支持部２１２、外側支持部２１１及び前記第１ドアパネル１８１の間には、空気収容ホール２１３が形成される。前記空気収容ホール２１３は、外部に対して密閉された空間になる。詳細に、前記空気収容ホール２１３が形成されることによって、前記キャビティ３と直接接触されて熱が伝達される第１ドアパネル１８１と、前記側面フレーム２００との間の接触面積が減少する。そして、前記空気収容ホール２１３の内部の空気は、前記キャビティ３から伝達される熱の伝達を遮断する断熱層の機能を行う。したがって、前記キャビティ３から前記側面フレーム２００に伝達される熱量が減少され得る。したがって、前記側面フレーム２００が前記キャビティ３から伝達される熱により加熱される現象が減少するという効果がある。
【００４５】
また、前記側面フレーム２００の両端部には、末端固定部２２０が形成される。詳細に、前記末端固定部２２０には、第１固定部２２１と、第２固定部２２２と、第３固定部２２３、及び前記第３固定部２２３の末端から折り曲げられて前記左下モールドフレーム１３０または左下モールドフレーム１２０に固定されるフレーム固定部２２４が備えられる。そして、前記第１固定部２２１、第２固定部２２１及び第３固定部２２３は、所定長さに突出し、特に、前記第１固定部２２１は、前記側面フレーム２００の一端かた他端にわたって長く形成される。そして、前記第１固定部２２１と第２固定部２２２との間には、前記第２ドアパネル１８２の端部が挿入される第２パネル収容溝２２６が形成される。そして、前記第２固定部２２２と第３固定部２２３との間には、前記第３ドアパネル１８３の端部が挿入される第３パネル収容溝２２５が形成される。したがって、前記第２ドアパネル１８２と第３ドアパネル１８３の端部は、前記固定部２２０により側面フレーム２００に固定される。
【００４６】
一方、前記側面フレーム２００には、複数の中間固定部２３０が所定間隔に配列される。すなわち、前記側面フレーム２００の両端部に形成された末端固定部２２０の間に、複数の中間固定部２３０がさらに形成される。そして、図６の状態で、前記第２ドアパネル１８２の中間部分は、前記中間固定部２３０の上部面及び前記第１固定部２２１により支持される。
【００４７】
また、前記第３ドアパネル１８３の中間部分は、前記中間固定部２３０により支持される。詳細に、前記中間固定部２３０には、図面上において上側に形成される上端突起２３３、前記上端突起２３３の下側に形成される下端突起２３１、及び前記上端突起２３３と下端突起２３１との間に形成される固着部２３２が備えられる。
【００４８】
上記のような中間固定部２３０により、前記第３ドアパネル１８３の安定した支持が確保される。
【００４９】
また、前記側面フレーム２００には、放熱部２５０が形成されて、前記側面フレーム２００に伝達される熱を迅速に放熱させる。
【００５０】
詳細に、前記放熱部２５０には、前記左下モールド部１３０または左上モールド部１２０に固定されるフレーム固定部２５１と、前記フレーム固定部２５１の端部から折り曲げられる第１折り曲げ部２５２と、前記第１折り曲げ部２５２と交差する方向に伸びる連結部２５３と、前記連結部２５３のいずれかの地点から交差する方向に伸びる第２折り曲げ部２５２と、前記第２折り曲げ部２５４上に所定曲率で湾曲された状態で伸びる湾曲リブ２５５とが備えられる。
【００５１】
さらに詳細に、前記連結部２５３は、前記第１折り曲げ部２５２と第２折り曲げ部２５４とが連結する地点から、図面上において上側及び下側へさらに突出するように形成される。そして、前記湾曲リブ２５５は、所定の曲率からなる開口した円状のリブが前記側面フレーム２００の一端から他端に至る長さで伸びる。そして、前記放熱部２５０のフレーム固定部２５１と前記末端固定部２２０のフレーム固定部とは、所定間隔離隔するように形成され、前記左下モールド部１３０または左上モールド部１２０に固定される。
【００５２】
また、前記放熱部２５０の内部には、中空部２４０が形成されて、外気が流入する。そして、流入した外気により、前記側面フレーム２００が冷却される。すなわち、前記フレーム固定部２５１、第１折り曲げ部２５２、前記連結部２５３、第２折り曲げ部２５４、及び前記湾曲リブ２５５は、前記キャビティ１３から伝達される熱を外部に迅速に放出する放熱フィンの機能を行うようになる。
【００５３】
図７は、図５のII−II´線の断面図であり、図８は、本発明に係るドアで側面フレームを通じて行われる空気の流れを示す図である。
【００５４】
図７及び図８に示すように、側面フレーム２００での空気の流れを説明する。
【００５５】
まず、側面ケース１３及び前面ケース１２と、前記第４ドアパネル１８４との間に形成される空間を介して外気が流入する。流入した空気は、前記側面流入口１９０を介してドアパネル１８０の内部に流入する。詳細に、前記ドアパネル１８０側に流入する外気の一部は、前記第４ドアパネル１８４と第３ドアパネル１８３との間の空間に沿って流れる。そして、流入する空気の一部は、前記第２ドアパネル１８２と前記第３ドアパネル１８３との間の空間に沿って流動する。また、流入する外気のうち、さらに他の一部は、前記中空部２４０に流入して、前記放熱部２５０と接触される。そして、前記放熱部２５０と接触する外気は、前記側面フレーム２００に伝達された熱を吸収して、前記側面フレーム２００を冷却させる。
【００５６】
上記のような空気の流動により、前記第２ドアパネル１８２、前記第３ドアパネル１８３及び前記第４ドアパネル１８４の間の離隔空間を介して外気が直接流入するため、前記側面フレーム２００及び前記ドアパネルに対する冷却効率が改善されることができる。
【００５７】
また、上記のような流動過程中に外気の一部は、前記放熱部２５０によって形成される中空部２４０に流入し、前記放熱部２５０と熱交換を行う。すなわち、前記放熱部２５０を構成する部分が、それぞれ放熱フィンとして機能する。
【００５８】
また、前記放熱部２５０を構成する折り曲げ部２５２、２５４、連結部２５３、及び湾曲リブ２５５が、フィン形状からなり、このようなフィン形状の構造によって、外気との接触面積が広くなって、冷却効率が増加するという効果がある。
【図面の簡単な説明】
【００５９】
【図１】本発明に係るオーブンを示す斜視図である。
【図２】本発明に係るオーブンのドアの背面斜視図である。
【図３】本発明に係るドアの側面図である。
【図４】本発明に係るドアフレームの分解斜視図である。
【図５】本発明に係るドアフレームを構成する側面フレームの斜視図である。
【図６】図５に示すＩ−Ｉ´線断面図である。
【図７】図５のII−II´線断面図である。
【図８】本発明に係るドアで側面フレームを介して行われる空気の流れを示す図である。
【符号の説明】
【００６０】
１    オーブン
３    キャビティ
４    対流ファン
５    二重底部
６    ラックガイド
７    ラック
８    クックトップ
１００    ドア
１２０、１３０、１５０、１６０    モールドフレーム
１８０    ドアパネル
１９０    側面流入口
１９１    ドア冷却流路
２００    側面フレーム
２１０    支持部
２２０    末端固定部
２３０    中間固定部
２５０    放熱部
【図１】
2007163127.tif 000003
【図２】
2007163127.tif 000004
【図３】
2007163127.tif 000005
【図４】
2007163127.tif 000006
【図５】
2007163127.tif 000007
【図６】
2007163127.tif 000008
【図７】
2007163127.tif 000009
【図８】
2007163127.tif 000010